(57)【要約】【課題】斬新な見栄えの指針部材を提供する。【解決手段】透光性を有する合成樹脂材料で形成された指示部１１と、回動の中心となる回動軸部１３とを備え、前記指示部は、前面Ｆの所定の境界から先端方向の少なくとも一部には第一の微細凹凸１１ｂを有し、前記回動軸部方向の少なくとも一部には第一の低反射処理層１１ａを有し、背面Ｒの前記所定の境界から前記回動軸部方向の少なくとも一部に第二の低反射処理層１１ｃを有する。【選択図】図２
2019184377.tif 000002
【特許請求の範囲】
【請求項１】
回動し、指標部を指示することで利用者に状態量を提供する指針部材において、
透光性を有する合成樹脂材料で形成された指示部と、
回動の中心となる回動軸部とを備え、
前記指示部は、
前面の所定の境界から先端方向の少なくとも一部には第一の微細凹凸を有し、前記回動軸部方向の少なくとも一部には第一の低反射処理層を有し、
背面の前記所定の境界から前記回動軸部方向の少なくとも一部に第二の低反射処理層を有することを特徴とする指針部材。
【請求項２】
前記指示部は、
前記背面の前記所定の境界から先端方向の少なくとも一部に第三の低反射処理層を更に有する
ことを特徴とする請求項１に記載の指針部材。
【請求項３】
前記指示部は、
前記背面の前記所定の境界から先端方向の少なくとも一部に第二の微細加工を更に有する
ことを特徴とする請求項１に記載の指針部材。
【請求項４】
遮光性を有し、前記回動軸部を覆う指針キャップを更に備える
ことを特徴とする請求項１〜３のいずれか１項に記載の指針部材。
【請求項５】
前記指針キャップは、前記利用者と対向する面が正円である
ことを特徴とする請求項４に記載の指針部材。
【請求項６】
前記指針キャップの前記利用者と対向する面には円状のヘアライン模様が施されている
ことを特徴とする請求項５に記載の指針部材。
【請求項７】
同一の面に施された前記微細加工及び前記低反射処理層は指示部に同一の方法により形成されている
ことを特徴とする請求項１〜６いずれか１項に記載の指針部材。
【請求項８】
前記方法がナノインプリントである
ことを特徴とする請求項７に記載の指針部材。
【発明の詳細な説明】
【技術分野】
【０００１】
本発明は、指針式計器に用いられる指針部材に関する。
【背景技術】
【０００２】
従来より、例えば下記に示す特許文献１〜３のような計器向けの指針部材が開示されてきた。すなわち、運転者（利用者）と対向する発光面の輝度を均一にしたものや、光漏れ（ハレーション）により外観が損なわれることを防止した発明が開示されてきた。
【先行技術文献】
【特許文献】
【０００３】
【特許文献１】特開２０１７−２１１３３０号公報
【特許文献２】特開２０１４−２１５２１６号公報
【特許文献３】特開２０１２−１０７９７３号公報
【発明の概要】
【発明が解決しようとする課題】
【０００４】
しかしながら、上述のような指針にあっては未だ見栄えの斬新さには改善の余地があった。そこで本発明の目的とするところは、上述課題に着目し、斬新な見栄えの指針部材を提供することにある。
【課題を解決するための手段】
【０００５】
上述目的を達成するため、本発明に係る指針部材は、
回動し、指標部を指示することで利用者に状態量を提供する指針部材において、
透光性を有する合成樹脂材料で形成された指示部と、
回動の中心となる回動軸部とを備え、
前記指示部は、
前面の所定の境界から先端方向の少なくとも一部には第一の微細凹凸を有し、前記回動軸部方向の少なくとも一部には第一の低反射処理層を有し、
背面の前記所定の境界から前記回動軸部方向の少なくとも一部に第二の低反射処理層を有することを特徴とする。
【０００６】
ここで本開示では、低反射処理とは透光性材料の表面での光の反射を低減する処理であり、例えばＡＲコートや、モスアイ処理などが挙げられる。
【０００７】
ＡＲコートとは、当該面の最表面に位置する物質よりも屈折率が低い低屈折率膜であって、相対的に屈折率が低い低屈折率層と相対的に屈折率が高い高屈折率層とが交互に積層された誘電体多層膜を施すことで実現される低反射処理層である。
【０００８】
またモスアイ処理は、透光性物体の表面形状を微細な周期構造（モスアイ構造）にする処理であり、モスアイフィルムの貼付、射出成形、ＵＶナノインプリントで付与できる。モスアイ構造は詳しくは周期的な突起構造であり、望ましくはその突起のピッチが１００ｎｍ以上２５０ｎｍ以下、なおかつ突起の高さはピッチの長さより長いことが望ましい。
【０００９】
また微細凹凸とは、樹脂成形品の表面での光の拡散を表面に施した所定の凹凸構造により所望の程度に調節するための構造である。例えば、エッチングやレーザー加工を施した金型により射出成形された、液晶表示装置のエッジ型バックライト向けの導光拡散板の表面加工もこれにあたる。樹脂成形品へのＵＶナノインプリントにより付与することもできる。凹凸構造は算術平均粗さが１μｍ以上であるものが望ましい。
ここで、ナノインプリントとは、数ｎｍから数μｍのサイズの微細凹凸構造を有するモールドを用い、モールドの微細凹凸構造をレジスト層に転写する技術をいうものとする。
【発明の効果】
【００１０】
本発明によれば斬新な見栄えの指針部材を提供することとなる。
【図面の簡単な説明】
【００１１】
【図１】本開示の指針部材の実施形態における外観を示す図。
【図２】図１中の２−２断面図。
【発明を実施するための形態】
【００１２】
以下に、本発明の指針部材を、車両用表示装置に適用した実施形態として例にあげ、添付図面を用いて説明する。
本開示の車両用表示装置１の外観は図１に示す通りであり、図２は図１中の２−２断面図を示している。車両用表示装置１の構成を図２を用いて示す。
車両用表示装置１は、指針（指針部材）１０と、文字板２０と、リング部材３０と、下ケース４０と、中ケース５０と、回路基板６０と、レンズ７０と、を備える。
【００１３】
指針１０は主に指示部１１（回動指示部）と、指針キャップ１２と、座部１３（回動軸部）とを設ける。
【００１４】
指示部１１は無色透明な合成樹脂材料で構成でき、この指示部１１が回動部から伝わる動力により回動軸Ｘを中心に回動し、指標部である目盛り２０ａや数字を指し示すことで、状態量を利用者（運転者）に提供する。また、所定の境界から回動軸部方向（回動軌道がなす円の内側に向かう方向）に透明領域Ａ、末端方向（回動軌道がなす円の外側に向かう方向）に可視領域Ｂを形成している。
【００１５】
指示部１１は第一の低反射処理層１１ａと、第一の微細加工１１ｂ（第一の微細凹凸）と、第二の低反射処理層１１ｃと、第二の微細加工１１ｄ（第二の微細凹凸）と、を有する。
【００１６】
第一の低反射処理層１１ａと、第二の低反射処理層１１ｃは、透明領域Ａにおける指示部１１の前面Ｆ（表示出力方向側の面、利用者側の面）と背面Ｒ（前面の反対の面、文字板２０と対向する面）に施された低反射処理層である。
【００１７】
低反射処理層とは、透光性材料の表面での光の反射を低減する処理が施された層であり、例えばＡＲコートや、モスアイ処理などが挙げられる。
【００１８】
ＡＲコートとは、当該面の最表面に位置する物質よりも屈折率が低い低屈折率膜であって、相対的に屈折率が低い低屈折率層と相対的に屈折率が高い高屈折率層とが交互に積層された誘電体多層膜を施すことで実現される低反射処理層である。
【００１９】
モスアイ処理は、透光性物体の表面形状を微細な周期構造（モスアイ構造）にする処理であり、モスアイフィルムの貼付、射出成形、ナノインプリントで付与できる。モスアイ構造は詳しくは周期的な突起構造であり、望ましくはその突起のピッチが１００ｎｍ以上２５０ｎｍ以下、なおかつ突起の高さはピッチの長さより長いことが望ましい。
【００２０】
第一の微細加工１１ｂ（第一の微細凹凸）と、第二の微細加工１１ｄ（第二の微細凹凸）は、可視領域Ｂにおける指示部１１の表面と裏面に施された微細凹凸処理面である。
【００２１】
微細凹凸処理とは、樹脂成形品の表面での光の拡散を表面に施した所定の凹凸構造により所望の程度に調節するための構造である。例えば、エッチングやレーザー加工を施した金型により射出成形された、液晶表示装置のエッジ型バックライト向けの導光拡散板の表面加工もこれにあたる。樹脂成形品へのＵＶナノインプリントにより付与することもできる。凹凸構造は算術平均粗さが１μｍ以上であるものが望ましい。
【００２２】
指針キャップ１２は遮光性の樹脂で構成でき、指示部１１の回動中心部を覆うように設けられている。
【００２３】
座部１３は、透光性合成樹脂材料で構成することができ、指示部１１の回動軸Ｘを規定するように指示部１１と回動動力源に備わる回動部とを連結する部材である。
【００２４】
文字板２０は透光性合成樹脂材料を基材とし、運転者側の面には遮光性の印刷を施し、当該印刷の一部には抜き文字状に当該遮光性の印刷を施さない個所を設け、目盛り２０ａ（指標部）や文字、警告表示部２０ｂを形成している。
【００２５】
リング部材３０は環状の樹脂部品であり、装飾のために銀メッキ加工が為されている。目盛り２０ａの周囲を取り囲むように設けられている。
【００２６】
下ケース４０は凹状の筐体であり、凹部に車両用表示装置１が含む他の各部材を公知の手段で保持している。材料には遮光性の樹脂が適用でき、例えばポリプロピレンが適用できる。
【００２７】
中ケース５０は車両用表示装置１の内部の構造物の位置を規定する保持構造物であり、例えばポリプロピレンで形成できる。後述する文字板照明６０ｂの光線をより文字板２０に向けて効率よく反射できるようグロス値が高い表面処理が為され、形状も図のように文字板照明６０ｂから遠ざかるに連れてせり上がるような形状を成している。
【００２８】
回路基板６０は例えば板状のガラスエポキシ材に銅箔の配線パターンが印刷されたプリント基板を適用でき、中ケース５０の裏面に配置される。回路基板６０は、制御部６０ａと、文字板照明６０ｂと、指針照明６０ｃと、モーター６１とを有する。
【００２９】
制御部６０ａはプログラムや入力されたデータ、演算経過、演算結果等を保持する記憶部、記憶部に保持された情報に基づいて所定の演算処理を行う演算部、また他機器との接続用インターフェース等を設けたマイクロコンピュータで構成し得る。回路基板６０、外部接続用コネクタを介して車両用表示装置１の外部の種々の電子機器から車両情報、経路案内情報等を受信し、アナログメータへその時点でのエンジン回動数や車速といった車両情報を送信する。
【００３０】
文字板照明６０ｂと指針照明６０ｃは、例えば回路基板６０の運転者と対向する面に設けられた白色発光ダイオード（白色ＬＥＤ）であり、制御部６０ａと接続されている。制御部６０ａが発した制御信号に応じて発光することで文字板２０及び指針１０を照明している。文字板照明６０ｂが出射した光は中ケース５０に反射導光されることにより文字板２０を照明する。
【００３１】
モーター６１は回路基板６０に実装され、制御部６０ａと接続されたステッピングモータが適用できる。車両情報を基に制御部６０ａが出力した信号により回動部６１ａを回動する。
【００３２】
レンズ７０は、透光性の材料からなり、例えばアクリル樹脂が適用でき、下ケース４０の凹部の開口部を塞ぐように設けられている。
【００３３】
上述の構成によれば、以下のような作用により斬新な見栄えの指針部材を提供することができる。
【００３４】
本開示の指針部材は、透光性を有する合成樹脂材料で形成された指示部１１と、回動の中心となる座部１３とを備え、指示部１１は、前面の所定の境界から先端方向に第一の微細加工１１ｂを有し、回動軸部方向には第一の低反射処理層１１ａを有し、背面の前記所定の境界から回動軸部方向に第二の低反射処理層１１ｃを有する指針部材１０である。
これにより、指示部１１の透明領域Ａは第一の低反射処理層１１ａ及び第二の低反射処理層１１ｃの作用により透明合成樹脂材料特有の表面反射が低減され、反射光を視認しづらい、または視認できない。しかし指示部１１の可視領域Ｂは第一の微細加工１１ｂの作用により外光や照明光が運転者の視点側へ反射され、透明合成樹脂材料の存在を視認できる。
すなわち、指示部１１は先端部のみが浮いているような外観になり、今までにない斬新な見栄えを達する事ができる。
【００３５】
また他の観点では、指示部１１は、背面の前記所定の境界から先端方向に第二の微細加工を更に有する指針部材１０であってもよい。
これにより、可視領域Ｂの微細加工面は表面と裏面に二つ施されることになり、奥行き感を感じることができたり、視認性が更に向上したりする。
【００３６】
また他の観点では、遮光性を有し、座部１３を覆う指針キャップ１２を更に備える指針部材１０であってもよい。
これにより、指針照明６０ｃを設ける際にはこれを直接視認できないようにしたり、他にも座部１３や回動部６１ａと干渉しないように設けられた文字板２０の孔を隠すことができる。
【００３７】
また他の観点では、指針キャップ１２は、利用者と対向する面が正円である指針部材であってもよく、更には指針キャップ１２の利用者と対向する面には回動軸Ｘを中心として幾重にも及ぶ同心円状のヘアライン模様が施されている指針部材１０であってもよい。
これにより、指針部材が回動する際に、指針キャップ１２が回動する様子を利用者が視認しづらくなり回動中心部と指示部の動きが一致していないような斬新な見栄えの指針部材を実現できる。
【００３８】
また他の観点では、同一の面に施された微細加工及び低反射処理層は指示部に同一の方法により形成されている指針部材であってもよい。
これにより、別々の方法により加工と処理を行うことに比べ製造工程数を低減でき、歩留まりの向上を達することができる。また、一般に同一の方法による処理及び加工を施すことで前述の所定の境界で意図しない外観の乱れ（色味の変化やバリ）が発生する虞を低減できる。
【００３９】
また他の観点では、前述の同一の方法がナノインプリントである指針部材１０であってもよい。
ナノインプリントによる微細加工は分光効果を有する。分光効果とは処理面を斜めから視認する際に、視認者側に反射された光が分光され虹色に見える効果のことを指す。本開示の微細加工にナノインプリントによる微細加工を適用すれば、照明光の制御をすること無く、多彩な外観演出を行える指針部材を実現でき、さらなる見栄えの斬新さを実現できる。
【００４０】
したがって、斯かる指針部材によれば、斬新な見栄えの指針部材を提供することとなる。
【００４１】
なお、本発明の指針部材を上述した実施形態の構成にて例に挙げて説明したが、本発明はこれに限定されるものではなく、他の構成においても、本発明の要旨を逸脱しない範囲において種々の改良、並びに表示の変更が可能なことは勿論である。
【００４２】
上述の実施形態では、指示部１１は、背面の前記所定の境界から先端方向に第二の微細加工を更に有する指針部材１０を示したが、他にも、指示部１１は、背面の前記所定の境界から先端方向に第三の低反射処理層を更に有する指針部材であることもできる。
これにより、第一の微細加工１１ｂの背面に対応する指示部１１の表面も視認が困難になり、より指示部１１の可視領域Ｂの浮遊感が際立つ構成になる。
【符号の説明】
【００４３】
１車両用表示装置
１０  指針（指針部材）
１１  指示部
１１ａ  第一の低反射処理層
１１ｂ  第一の微細加工
１１ｃ  第二の低反射処理層
１１ｄ  第二の微細加工
１２  指針キャップ
１３  座部（回動軸部）
２０  文字板
２０ａ  目盛り（指標部）
２０ｂ  警告表示部
３０  リング部材
４０  下ケース
５０  中ケース
６０  回路基板
６０ａ  制御部
６０ｂ  文字板照明
６０ｃ  指針照明
６１  モーター
６１ａ  回動部
７０  レンズ
Ａ  透明領域
Ｂ  可視領域
Ｘ  回動軸
Ｆ  前面
Ｒ  背面
【図１】
2019184377.tif 000003
【図２】
2019184377.tif 000004